(57)【要約】  複数のフィラメントを含むダストフィルターが提供される。複数のフィラメントは、互いに交差することによってメッシュに織り込まれている。複数のフィラメントは、強化フィラメントおよび繊維フィラメントを含み、強化フィラメントの量は、繊維フィラメントの量よりも少なく、ダストフィルターの剛性を改善するように強化フィラメントは繊維フィラメントの間に織られている。本発明は、イヤホンおよび携帯端末をさらに提供する。本発明では、ダストフィルターの剛性を改善するように強化フィラメントは繊維フィラメントの間に織られている。このことは、ダストフィルターの構造的安定性を改善するだけでなく、比較的柔らかいダストフィルターに起因するイヤホンの雑音に関する従来技術の問題を解決し、ユーザー体験を改善する。
2019501756.tif 000002
【特許請求の範囲】
【請求項１】
ダストフィルターであって、複数のフィラメントを含み、
前記複数のフィラメントは、互いに交差することによってメッシュに織り込まれており、
前記複数のフィラメントは、強化フィラメントおよび繊維フィラメントを含み、
前記強化フィラメントの量は、前記繊維フィラメントの量よりも少なく、
前記ダストフィルターの剛性を改善するように前記強化フィラメントは前記繊維フィラメントの間に織られているダストフィルター。
【請求項２】
前記強化フィラメントは、第１の方向に等間隔かつ均等に分布している請求項１に記載のダストフィルター。
【請求項３】
２本の隣接した前記強化フィラメントの間に配置される前記繊維フィラメントの量は、１〜５００の範囲である請求項２に記載のダストフィルター。
【請求項４】
前記強化フィラメントは第２の方向にも等間隔かつ均等に分布しており、
前記第１の方向は前記第２の方向と垂直であり、
前記第１の方向における前記強化フィラメントの分布則は、前記第２の方向における前記強化フィラメントの分布則と同様である請求項３に記載のダストフィルター。
【請求項５】
前記強化フィラメントは、金属フィラメントもしくは炭素ナノ繊維フィラメントまたはポリマー材料で作られた繊維フィラメントである請求項１〜４のいずれか１項に記載のダストフィルター。
【請求項６】
イヤホンであって、
イヤホンモジュールと、筐体と、を含み、
前記筐体には、貫通孔が設けられており、
前記イヤホンモジュールは、前記筐体内に設置され、前記貫通孔の反対側であり、
前記イヤホンは、請求項１〜５のいずれか１項に記載のダストフィルターをさらに含み、
前記ダストフィルターは、前記筐体内に設置され、前記貫通孔を覆うイヤホン。
【請求項７】
請求項６に記載のイヤホンを含む携帯端末。
【発明の詳細な説明】
【技術分野】
【０００１】
本発明は、ダストフィルターの構造、特にダストフィルターを使用するイヤホンおよびイヤホンを含む携帯端末に関する。
【背景技術】
【０００２】
現在は、携帯電話のイヤホンに使用される不織布ダストフィルターは比較的柔らかく、イヤホンの動作時にダストフィルター自体の比較的大きな振幅が構造部材上のはためき（flap）の原因となる。結果として、イヤホンに雑音が生じる。さらに、ユーザーによってダストフィルターが一定期間使用された後、イヤホンのダストフィルターの孔が堆積したダストによって詰まり、ダストフィルターの振幅がさらに増加する。その結果、ＦＦＲ問題（an FFR problem）は市場からフィードバックされ、ユーザー体験に影響する。
【発明の概要】
【発明が解決しようとする課題】
【０００３】
本発明の実施形態は、ダストフィルターの構造的安定性を改善し、比較的柔らかいダストフィルターに起因するイヤホンの雑音に関する従来技術の問題点を解決し、ユーザー体験を改善するダストフィルターの構造を提供する。
【課題を解決するための手段】
【０００４】
第１の態様によれば、本発明は、ダストフィルターであって、複数のフィラメントを含み、前記複数のフィラメントは、互いに交差することによってメッシュに織り込まれており、前記複数のフィラメントは、強化フィラメントおよび繊維フィラメントを含み、前記強化フィラメントの量は、前記繊維フィラメントの量よりも少なく、前記ダストフィルターの剛性を改善するように前記強化フィラメントは前記繊維フィラメントの間に織られているダストフィルターを提供する。
【０００５】
第１の態様の第１の可能な実施形態では、前記強化フィラメントは、第１の方向に等間隔かつ均等に分布している。
【０００６】
第１の態様の第１の可能な実施形態に関連して、第２の可能な実施形態では、２本の隣接した前記強化フィラメントの間に配置される前記繊維フィラメントの量は、１〜５００の範囲である。
【０００７】
第１の態様の第２の可能な実施形態に関連して、第３の可能な実施形態では、前記強化フィラメントは第２の方向にも等間隔かつ均等に分布しており、前記第１の方向は前記第２の方向と垂直であり、前記第１の方向における前記強化フィラメントの分布則（distribution rule）は、前記第２の方向における前記強化フィラメントの分布則と同様である。
【０００８】
第１の態様の前述の可能な実施形態のうちいずれか１つに関連して、第４の可能な実施形態では、前記強化フィラメントは、金属フィラメントもしくは炭素ナノ繊維フィラメントまたはポリマー材料で作られた繊維フィラメントである。
【０００９】
第２の態様によれば、本発明は、イヤホンであって、イヤホンモジュールと、筐体と、を含み、前記筐体には、貫通孔が設けられており、前記イヤホンモジュールは、前記筐体内に設置され、前記貫通孔の反対側であり、前記イヤホンは、第１の態様の可能な実施形態のいずれかに記載のダストフィルターをさらに含み、前記ダストフィルターは、前記筐体内に設置され、前記貫通孔を覆うイヤホンを提供する。
【００１０】
第３の態様によれば、本発明は、第２の態様の可能な実施形態のいずれかに記載のイヤホンを含む携帯端末を提供する。
【発明の効果】
【００１１】
従来技術と比較して、本発明で提供されるダストフィルターによれば、ダストフィルターの防塵機能を損なうことなしにダストフィルターの強度を改善するように強化フィラメントが繊維フィラメントの間に織られている。このことは、ダストフィルターの構造的安定性を改善するだけでなく、比較的柔らかいダストフィルターに起因するイヤホンの雑音に関する従来技術の問題を解決し、ユーザー体験を改善する。
【図面の簡単な説明】
【００１２】
本発明の実施形態または従来技術の技術的解決法をより明確に説明するため、以下に実施形態を説明するために必要である添付図を簡潔に説明する。一見、以下に記載の添付図は、本発明の一部の実施形態を示すものにすぎず、当該技術の当業者が創意工夫なしに依然として他の図面をこれらの添付図から得られ得る。
【００１３】
【図１】図１は、本発明の実施形態によるダストフィルターの模式図である。
【図２】図２は、本発明の別の実施形態によるダストフィルターの模式図である。
【図３】図３は、本発明の実施形態によるイヤホンの模式図である。
【発明を実施するための形態】
【００１４】
以下では、本発明の実施形態における技術的解決法を、本発明の実施形態における添付図を参照して明確かつ完全に説明する。一見、説明された実施形態は、一部にすぎないが、本発明の実施形態の全てではない。本発明の実施形態に基づいて創意工夫なしに当該技術の当業者によって得られた全ての他の実施形態は、本発明の保護範囲内に属するものとなる。
【００１５】
図１および図２を参照すると、本発明は、複数のフィラメントを含むダストフィルターを提供する。複数のフィラメントは、互いに交差することによってメッシュに織り込まれている。具体的な織り方法は、十字織り（crisscross weave）であってもよいか、内側から外側に向かってスパイダーウェブ（a spider web）を織るための方法と類似している。複数のフィラメントは、強化フィラメントおよび繊維フィラメントを含み、強化フィラメントの量は繊維フィラメントの量よりも少なく、ダストフィルターの剛性を改善するように強化フィラメントは繊維フィラメントの間に織られている。すなわち、複数のフィラメントの大部分は、繊維フィラメントである。繊維フィラメントの特徴は、単一のフィラメントの薄さ、すなわち直径が小さいという点にあり、ダストフィルターは比較的密に織られ、防塵効果が達成される。しかしながら、繊維フィラメント材料は比較的柔らかく、変形しやすい。強化フィラメントの強度および剛性は繊維フィラメントの強度および剛性よりも優れており、強化フィラメントの直径は繊維フィラメントの直径よりも大きい。ダストフィルターの全体的な強度を改善するように、強化フィラメントは繊維フィラメントの間に織られている。本発明のダストフィルターは、イヤホンに適用され得るか、携帯端末のスピーカー構造に適用され得る。本発明によれば、ダストフィルターの構造的安定性が、ダストフィルターの防塵機能を損なうことなしに改善され、比較的柔らかいダストフィルターに起因するイヤホンの雑音に関する従来技術の問題点が解決され、ユーザー体験が改善される。
【００１６】
一実施形態では、強化フィラメントは第１の方向（図１および図２におけるＸ方向）に等間隔かつ均等に分布しており、すなわち、同じ量の繊維フィラメントは、任意の２本の隣接した強化フィラメントの間に配置される。この一実施形態では、ダストフィルターの剛性は第１の方向で改善され、異方性のダストフィルターを得る。結果として、振幅（amplitude）が低減され、ダストフィルターのはためくことで生じる雑音が取り除かれる。
【００１７】
具体的には、２本の隣接した強化フィラメントの間に配置される繊維フィラメントの量は、１〜５００の範囲である。金属フィラメントの密度は、実際の製品の剛性要求に応じて決定されてもよい。本発明で提供されるダストフィルターは、複数の剛性要求を満たすことができる。図１及び図２に示す実施形態では、３本の繊維フィラメントが２本の隣接した強化繊維の間に配置される。
【００１８】
また、図２に示すように、強化フィラメントは第２の方向（図１および図２におけるＹ方向）にも等間隔かつ均等に分布している。第１の方向は第２の方向と垂直であり、第１の方向における強化フィラメントの分布則（distribution rule）は、第２の方向における強化フィラメントの分布則と同様である。この一実施形態では、実際の使用において指向性を抑制するために絶対確実な尺度が設計されなければならない問題を回避するように、巨視的に等方性であるダストフィルターが得られる。第１の方向における強化フィラメントおよび第２の方向における強化フィラメントは複数の四角い構造を構成する。
【００１９】
強化フィラメントは、金属フィラメントもしくは炭素ナノ繊維フィラメント（carbon nanofiber filaments）またはポリマー材料で作られた繊維フィラメントである。
【００２０】
図３を参照すると、本発明は、イヤホンモジュール（an earpiece module）４０と筐体２０とを含むイヤホンを提供する。発泡体３０は、筐体２０の内面に配置され、発泡体３０は、遮音効果を達成するようにイヤホンモジュール４０と筐体２０との間に設置される。筐体２０には、貫通孔が設けられており、イヤホンモジュール４０は筐体２０内に設置され、貫通孔の反対側である。イヤホンは、本発明によるダストフィルター１００をさらに含み、ダストフィルター１００は筐体２０内に設置され、貫通孔を覆う。
【００２１】
本発明は、携帯端末をさらに提供し、携帯端末はイヤホンを含む。
【００２２】
従来技術と比較して、本発明で提供されるダストフィルターによれば、強化フィラメントはダストフィルターの強度を改善するために繊維フィラメントの間に織られている。このことは、ダストフィルターの構造的安定性を改善するだけでなく、比較的柔らかいダストフィルターに起因するイヤホンの雑音に関する従来技術の問題を解決し、ユーザー体験を改善する。
【００２３】
以上、本発明の実施形態について詳細に説明した。本発明の原理および一実施形態は具体例を用いてここに説明した。本発明の実施形態についての記載は、本発明の方法および核となる概念の理解を助けるために提供されるにすぎない。さらに、当該技術の当業者は、本発明の概念による具体的な一実施形態および適用範囲の観点から本発明に対して変形および変更を行うことができる。したがって、この明細書の内容は、本発明の制限として解釈されるべきではない。
【符号の説明】
【００２４】
２０  筐体
３０  発泡体
４０  イヤホンモジュール
１００  ダストフィルター
【図１】
2019501756.tif 000003
【図２】
2019501756.tif 000004
【図３】
2019501756.tif 000005
【国際調査報告】
2019501756.tif 000006
2019501756.tif 000007
2019501756.tif 000008
2019501756.tif 000009